(57)【要約】【課題】陳列棚の陳列空間に陳列可能な商品の最大の個数を簡易に求める。【解決手段】サーバ１１７には、商品コードに対応付けて各商品１０３のサイズ情報を記憶する商品マスタと、陳列棚１０９の陳列空間１２５を特定する空間コードに対応付けて各陳列空間１２５のサイズ情報を記憶する陳列棚マスタとが格納されている。サーバ１１７は、ＰＤＡ端末１１２から送信される商品コード及び空間コードの入力を判定した場合、商品１０３のサイズ情報と陳列空間１２５のサイズ情報とから陳列空間１２５に陳列可能な商品１０３の最大の個数の情報をＰＤＡ端末１１２に送信出力する。ＰＤＡ端末１１２では、陳列空間１２５に陳列可能な商品１０３の最大の個数の情報が表示される。【選択図】図１
2010146445.tif 000002
【特許請求の範囲】
【請求項１】
情報を入力するための入力部と、
情報を表示する表示部と、
情報処理を実行する情報処理部と、
陳列空間を特定する空間コードに対応付けて当該陳列空間のサイズ情報を記憶する空間サイズ記憶部と、
商品を特定する商品コードに対応付けて当該商品のサイズ情報を記憶する商品サイズ記憶部と、
を備え、前記情報処理部は、
前記入力部から入力された空間コードで特定され前記空間サイズ記憶部から取得される陳列空間の空間幅長を、前記入力部から入力された商品コードで特定され前記商品サイズ記憶部から取得される商品の商品幅長で除して前記陳列空間の幅方向に陳列可能な商品の幅方向個数を算出する処理と、
前記入力された空間コードで特定され前記空間サイズ記憶部から取得される陳列空間の空間奥行長を、前記入力された商品コードで特定され前記商品サイズ記憶部から取得される商品の商品奥行長で除して前記陳列空間の奥行方向に陳列可能な商品の奥行方向個数を算出する処理と、
前記幅方向個数と前記奥行方向個数とを乗じて陳列限界個数を算出する個数算出処理と、
前記陳列限界個数を前記表示部に表示する処理と、
を実行する、陳列限界個数算出システム。
【請求項２】
商品コードに対応付けてその商品コードで特定される商品の陳列方向が定められているか否かを定義する陳列方向情報を記憶する陳列方向情報記憶部を備え、
前記情報処理部は、前記陳列方向情報記憶部を参照して前記入力された商品コードに対応する陳列方向情報を取得し、その陳列方向情報が商品の陳列方向が定められていないことを示すものであると判定した場合、前記商品幅長と前記商品奥行長とを入れ替えて前記幅方向個数と前記奥行方向個数とを算出する、
請求項１記載の陳列限界個数算出システム。
【請求項３】
商品コードに対応付けてその商品コードで特定される商品を倒した状態で陳列可能か否かを定義する転置陳列情報を記憶する転置陳列情報記憶部を備え、
前記情報処理部は、前記転置陳列情報記憶部を参照して前記入力された商品コードに対応する転置陳列情報を取得し、その転置陳列情報が商品を倒した状態で陳列可能であることを示すものであると判定した場合、前記商品幅長と前記商品サイズ記憶部から取得される前記入力された商品コードで特定される商品の商品高さとを入れ替えて前記幅方向個数と前記奥行方向個数とを算出する、
請求項１又は２記載の陳列限界個数算出システム。
【請求項４】
商品コードに対応付けてその商品コードで特定される商品を積み重ねて陳列可能か否かを定義する積み重ね情報を記憶する積み重ね情報記憶部を備え、
前記情報処理部は、前記入力された空間コードで特定される陳列空間の空間高さを前記商品サイズ記憶部から取得される前記入力された商品コードで特定され前記空間サイズ記憶部から取得される商品の商品高さで除して前記陳列空間の高さ方向に陳列可能な商品の高さ方向個数を算出する処理を実行し、
前記情報処理部が実行する前記個数算出処理は、前記積み重ね情報記憶部を参照して前記入力された商品コードに対応する積み重ね情報を取得し、その積み重ね情報が商品を積み重ねて陳列可能であることを示すものと判定した場合、前記幅方向個数と前記奥行方向個数と前記高さ方向個数とを乗じて陳列限界個数を算出する、
請求項１ないし３のいずれか一に記載の陳列限界個数算出システム。
【請求項５】
前記情報処理部は、
算出した前記陳列限界個数を記憶部に記憶する処理と、
前記記憶部に記憶された陳列限界個数を前記入力部から入力された陳列限界個数に更新する処理と、
を実行する、請求項１ないし４のいずれか一に記載の陳列限界個数算出システム。
【請求項６】
情報を入力するための入力部と、情報を表示する表示部と、陳列空間を特定する空間コードに対応付けて当該陳列空間のサイズ情報を記憶する空間サイズ記憶部と、商品を特定する商品コードに対応付けて当該商品のサイズ情報を記憶する商品サイズ記憶部とを含んで構成される陳列限界個数算出システムを構成するコンピュータにインストールされ、当該コンピュータに、
前記入力部から入力された空間コードで特定され前記空間サイズ記憶部から取得される陳列空間の空間幅長を、前記入力部から入力された商品コードで特定され前記商品サイズ記憶部から取得される商品の商品幅長で除して前記陳列空間の幅方向に陳列可能な商品の幅方向個数を算出する機能と、
前記入力された空間コードで特定され前記空間サイズ記憶部から取得される陳列空間の空間奥行長を、前記入力された商品コードで特定され前記商品サイズ記憶部から取得される商品の商品奥行長で除して前記陳列空間の奥行方向に陳列可能な商品の奥行方向個数を算出する機能と、
前記幅方向個数と前記奥行方向個数とを乗じて陳列限界個数を算出する機能と、
を実現させる陳列限界個数算出プログラム。
【発明の詳細な説明】
【技術分野】
【０００１】
本発明は、店舗に設置された陳列棚の陳列空間に陳列可能な商品の最大の個数を算出するための陳列限界個数算出システム、及び、この算出処理をコンピュータに実現させる陳列限界個数算出プログラムに関する。
【背景技術】
【０００２】
小売店舗に設置される陳列棚について、その陳列棚に陳列されている商品の個数を集計するシステムが知られている。例えば、特許文献１に記載の電子棚札システムでは、タグリーダを用いて、個々の商品に取り付けられる商品ＩＣタグから識別情報を読み取ることで、商品の個数の集計を行っている。
【０００３】
【特許文献１】特開２００７−２０６７４５公報
【発明の開示】
【発明が解決しようとする課題】
【０００４】
特許文献１に記載の技術を用いることで、陳列棚に陳列されている商品の個数を集計することが可能になり、さらには、顧客が陳列棚から商品を取り出すことにより商品の個数が一定数以下まで減少した場合に報知端末に報知動作を行わせるシステムを構築することが可能になる。このシステムによれば、店員は、報知端末の報知動作を見て、商品を陳列棚まで持ち寄って陳列する作業を行うことになる。
【０００５】
ここで、店員は、陳列棚まで商品をいくつ持ち寄るべきかが問題となる。というのも、陳列棚に設けられた陳列空間に出来る限り多くの商品を補充することで、陳列棚で商品の不足が生じる頻度が減少し、店員が商品の補充作業を行う回数を減らすことができるからである。とはいえ、店員があまりに多くの商品を陳列棚に持ち寄ると、陳列空間に陳列しきれなかった商品を再び倉庫等に戻すことになる。そこで、陳列空間に商品を最大でいくつ陳列できるかが重要となる。しかしながら、店員は、実際に陳列棚の陳列空間に商品を陳列してみないと、陳列棚に陳列可能な商品の最大の個数を把握することが出来ず、ひいては報知端末が報知動作を行った際に陳列棚に商品をいくつ持ち寄るべきかがわからない。特許文献１には、この点まで考慮された記載が無い。
【０００６】
本発明は、陳列棚の陳列空間に陳列可能な商品の最大の個数を簡易に求めることである。
【課題を解決するための手段】
【０００７】
本発明の陳列限界個数算出システムは、情報を入力するための入力部と、情報を表示する表示部と、情報処理を実行する情報処理部と、陳列空間を特定する空間コードに対応付けて当該陳列空間のサイズ情報を記憶する空間サイズ記憶部と、商品を特定する商品コードに対応付けて当該商品のサイズ情報を記憶する商品サイズ記憶部と、を備え、前記情報処理部は、前記入力部から入力された空間コードで特定され前記空間サイズ記憶部から取得される陳列空間の空間幅長を、前記入力部から入力された商品コードで特定され前記商品サイズ記憶部から取得される商品の商品幅長で除して前記陳列空間の幅方向に陳列可能な商品の幅方向個数を算出する処理と、前記入力された空間コードで特定され前記空間サイズ記憶部から取得される陳列空間の空間奥行長を、前記入力された商品コードで特定され前記商品サイズ記憶部から取得される商品の商品奥行長で除して前記陳列空間の奥行方向に陳列可能な商品の奥行方向個数を算出する処理と、前記幅方向個数と前記奥行方向個数とを乗じて陳列限界個数を算出する個数算出処理と、前記陳列限界個数を前記表示部に表示する処理と、を実行する。
【０００８】
本発明の陳列限界個数算出プログラムは、情報を入力するための入力部と、情報を表示する表示部と、陳列空間を特定する空間コードに対応付けて当該陳列空間のサイズ情報を記憶する空間サイズ記憶部と、商品を特定する商品コードに対応付けて当該商品のサイズ情報を記憶する商品サイズ記憶部とを含んで構成される陳列限界個数算出システムを構成するコンピュータにインストールされ、当該コンピュータに、前記入力部から入力された空間コードで特定され前記空間サイズ記憶部から取得される陳列空間の空間幅長を、前記入力部から入力された商品コードで特定され前記商品サイズ記憶部から取得される商品の商品幅長で除して前記陳列空間の幅方向に陳列可能な商品の幅方向個数を算出する機能と、前記入力された空間コードで特定され前記空間サイズ記憶部から取得される陳列空間の空間奥行長を、前記入力された商品コードで特定され前記商品サイズ記憶部から取得される商品の商品奥行長で除して前記陳列空間の奥行方向に陳列可能な商品の奥行方向個数を算出する機能と、前記幅方向個数と前記奥行方向個数とを乗じて陳列限界個数を算出する機能と、を実現させる。
【発明の効果】
【０００９】
本発明によれば、空間コードと商品コードとを入力する操作のみで簡易に陳列棚の陳列空間に陳列可能な商品の最大の数量（陳列限界個数）が算出され、店員はその陳列限界個数分の商品を陳列するように商品を陳列棚に持ち寄って商品の補充作業を行えばよく、陳列作業の効率化が図られる。
【発明を実施するための最良の形態】
【００１０】
本発明の実施の一形態について、図１ないし図８に基づいて説明する。
【００１１】
図１は、陳列限界個数算出システム１０１の全体を示す模式図である。陳列限界個数算出システム１０１は、スーパーマーケット１０２に導入される。スーパーマーケット１０２は、顧客１０４が買物を行う売場空間１０５と、店員１０６のみ入ることができるバックヤード１０７とに区画分けされている。売場空間１０５には、四個の陳列棚１０９が設置される。これらの陳列棚１０９には、個々を一意に特定する棚特定記号が割り当てられている。陳列棚１０９には、各種の商品１０３が陳列される。すべての商品１０３には、バーコード（図示せず）が付されている。このバーコードは、各商品１０３を特定する商品コードがコードシンボル化されて表現されたものである。
【００１２】
このようなスーパーマーケット１０２において、顧客１０４は、予め用意された買物籠１１０を手にとって売場空間１０５を歩き、購入しようとする商品１０３を買物籠１１０に投入して会計のためにレジエリア１１１に赴く。店員１０６は、売場空間１０５において顧客１０４に対する案内や商品陳列作業を行ったり、バックヤード１０７において在庫確認作業を行ったりしている。店員１０６は、売場空間１０５のレジエリア１１１に設置されたＰＯＳ端末１１３を操作し顧客１０４との商品１０３の会計取引作業も行う。ＰＯＳ端末１１３はバーコードを読み取り商品コードにデコードするバーコードスキャナ（図示せず）を備え、入力された商品コードに基づいて会計金額を算出したり、サーバ１１７（後述）に売上情報を送信したりする。ＰＯＳ端末１１３はいずれも、スーパーマーケット１０２に配設されたＬＡＮ１１６に接続されている。ＬＡＮ１１６には、バックヤード１０７に設置されるサーバ１１７が接続されている。ＬＡＮ１１６には、無線アクセスポイント１１９も接続されている。無線アクセスポイント１１９は、一例として、売場空間１０５の天井（図示せず）に備え付けられる。無線アクセスポイント１１９は、店員１０６が業務中に携帯する報知端末としてのＰＤＡ端末１１２との無線通信を行う。ここで、サーバ１１７と無線アクセスポイント１１９とは、無線信号を送信出力する信号出力部を構成する。
【００１３】
図２は、陳列棚１０９を模式的に示す斜視図である。陳列棚１０９は、天板１２０と側板１２１と下方部材１２２と背板１２３とによって内部に略直方体形状の内部空間１２４が形成されている。内部空間１２４はさらに天板１２０や側板１２１のそれぞれに平行に設けられた仕切部材１２７によって仕切られている。その結果、陳列棚１０９には、二段二列の陳列空間１２５が形成される。ここで、図２中、上側に位置する二つの陳列空間１２５に対し棚段番号「０００１」が、下側に位置する残り二つの陳列空間１２５に対し棚段番号「０００２」が、それぞれ割り当てられている。また、図２中、左側に位置する二つの陳列空間１２５に対し棚列番号「０００１」が、右側に位置する残り二つの陳列空間１２５に対し棚列番号「０００２」が、それぞれ割り当てられている。
【００１４】
図３は、商品１０３を模式的に示す斜視図である。商品１０３には、商品名表示１２６が付されている。この商品名表示１２６は、商品１０３が陳列棚１０９の陳列空間１２５に陳列される際に正面方向に向けられる面を示すものである。ここで、商品名表示１２６が付されている側から見た商品１０３の横方向の長さを商品幅長ｗ、高さ方向の長さを商品高さｈ、奥行方向の長さを商品奥行長ｄと呼ぶ。
【００１５】
図４は、陳列限界個数算出システム１０１の電気的構成を示すブロック図である。サーバ１１７は、ＣＰＵ１３１とＲＯＭ１３２とＲＡＭ１３３とにより構成される情報処理部１３４を備える。情報処理部１３４は、バスライン１３５を介して、ハードディスク１３６とキーボード１３７とディスプレイ１３８とネットワークインタフェイス１３９とのそれぞれに接続している。ネットワークインタフェイス１３９は、サーバ１１７と、ＬＡＮ１１６に接続する他の機器とのデータ通信を実現する。
【００１６】
ハードディスク１３６には、各種の情報処理をＣＰＵ１３１に実現させるプログラム１４０、及び、データベース１４２が格納されている。プログラム１４０には、図６及び図８に示す処理をＣＰＵ１３１に実現させる陳列限界個数算出プログラム１４１も含まれている。この他にも、プログラム１４０には、ＯＳやドライバプログラムが含まれている。ＣＰＵ１３１は、サーバ１１７の起動時にプログラム１４０の全部又は一部をＲＡＭ１３３にコピーしプログラム１４０の記述内容に従った処理を実行する。
【００１７】
図５は、データベース１４２の構造を示す模式図である。データベース１４２には、商品マスタ１４３と陳列棚マスタ１４４と陳列限界個数テーブル１４５とが格納されている。
【００１８】
商品マスタ１４３（図５（ａ））には、商品コード１４３ａに、商品名１４３ｂ及び商品単価１４３ｃが対応付けて記憶されており、ＰＯＳ端末１１３（図１参照）で行われる会計処理に用いられる。この商品マスタ１４３には、商品コード１４３ａに、この商品コード１４３ａで特定される商品１０３のサイズ情報１４３ｄと、この商品１０３の陳列方法を示す陳列方法情報１４３ｅとを対応付けて記憶されている。サイズ情報１４３ｄには、各商品１０３の商品幅長ｗと商品奥行長ｄと商品高さｈとが含まれている（図３も参照）。陳列方法情報１４３ｅには、陳列方向情報としての陳列方向フラグ１４３ｉと、転置陳列情報としての転置フラグ１４３ｊと、積み重ね情報としての積み重ねフラグ１４３ｋとが含まれている。そして、商品マスタ１４３は、商品サイズ記憶部、陳列方向情報記憶部、転置陳列情報記憶部及び積み重ね情報記憶部としての役割を果たしている。
【００１９】
陳列方向フラグ１４３ｉは、商品コード１４３ａで特定される商品１０３の陳列方向が定められているか否かを定義するものである。陳列方向フラグ１４３ｉが「０」であることは、商品名表示１２６を正面方向に向けてのみ商品１０３を陳列すべきことを示す。また、陳列方向フラグ１４３ｉが「１」であることは、商品１０３は商品名表示１２６を正面方向以外の方向に向けて陳列しても構わないものであることを示す。
【００２０】
転置フラグ１４３ｊは、商品コード１４３ａで特定される商品１０３を倒した状態で陳列可能か否かを定義するものである。転置フラグ１４３ｊが「０」であることは、商品１０３の側面が陳列空間１２５の底面に接するよう横倒しにして商品１０３を陳列すべきでないことを示す。また、転置フラグ１４３ｊが「１」であることは、商品１０３を横倒しにして陳列しても構わないことを示す。
【００２１】
積み重ねフラグ１４３ｋは、商品コード１４３ａで特定される商品１０３を積み重ねて陳列可能か否かを定義するものである。積み重ねフラグ１４３ｋが「０」であることは、商品１０３の上面に別の商品１０３を載置するよう積み重ねて商品１０３を陳列すべきでないことを示す。また、積み重ねフラグ１４３ｋが「１」であることは、商品１０３を積み重ねて陳列しても構わないことを示す。
【００２２】
陳列棚マスタ１４４（図５（ｂ））には、各陳列空間１２５を特定する空間コード１４４ａに、その陳列空間１２５のサイズ情報１４４ｂが対応付けて記憶されている。空間コード１４４ａには、棚特定記号１４４ｃと棚段番号１４４ｄと棚列番号１４４ｅとが含まれている。サイズ情報１４４ｂには、空間コード１４４ａで特定される陳列空間１２５の寸法を示す空間幅長ｘ、空間奥行長ｙ及び空間高さｚが含まれている（図２も参照）。
【００２３】
陳列限界個数テーブル１４５（図５（ｃ））には、商品コード１４５ａに、空間コード１４５ｂ及び陳列限界個数１４５ｃが対応付けて記憶されている。空間コード１４５ｂは、前述したものと同様に、棚特定記号１４５ｂａと棚段番号１４５ｂｂと棚列番号１４５ｂｃとを含んで構成されている。陳列限界個数１４５ｃは、空間コード１４５ｂで特定される陳列空間１２５に陳列可能な商品１０３の最大の個数を示すものである。この陳列限界個数１４５ｃは、基本的には陳列限界個数算出処理（図６）によって陳列限界個数テーブル１４５に記憶される。そして、陳列限界個数１４５ｃは、陳列限界個数確定処理（図８）によって店員１０６の所望の値に更新することもできる。
【００２４】
サーバ１１７のハードディスク１３６に格納されているプログラム１４０には、データベース１４２及び商品マスタ１４３のそれぞれの内容を編集するアプリケーションプログラム（図示せず）が含まれている。そして、店員１０６は、サーバ１１７に備わるキーボード１３７及びディスプレイ１３８を介してこのアプリケーションプログラムを起動し、これらのデータの内容を必要に応じて書き換えることができる。
【００２５】
図６は、陳列限界個数算出処理の流れを示すフローチャートである。このように構成される陳列限界個数算出システム１０１において、サーバ１１７のＣＰＵ１３１は、機器の起動中、陳列限界個数算出プログラム１４１を実行し、商品コード及び空間コードの両方の入力を待機している（ステップＳ１０１）。商品コード及び空間コードの入力は、一例として、サーバ１１７に備わる表示部としてのディスプレイ１３８に入力用画面（図示せず）を表示し、この入力用画面の表示に従って店員１０６が入力部としてのキーボード１３７から入力することにより実現される。別の一例として、商品コード及び空間コードの入力は、ＰＤＡ端末１１２を用いることにより実現される。
【００２６】
図７は、ＰＤＡ端末１１２の入力用画面１１２ａに表示される入力画面の一例を示す模式図である。ＰＤＡ端末１１２は、液晶ディスプレイ１１２ｂと、これに積層配置されるタッチパネル１１２ｃと、キーボード１１２ｄとを備える。キーボード１１２ｄには、テンキー１１２ｅとカーソルキー１１２ｆとエンターキー１１２ｇとが含まれている。ＰＤＡ端末１１２は、無線アクセスポイント１１９を介してサーバ１１７と無線通信を行う機能を有しているものである。そこで、サーバ１１７では、ＰＤＡ端末１１２とのデータ通信を実行するためのプログラムが実行されている必要がある。
【００２７】
液晶ディスプレイ１１２ｂには、ＰＤＡ端末１１２に備わる制御回路（図示せず）の制御によって、商品コード及び空間コードを入力するための入力用画面１１２ａが表示されている。入力用画面１１２ａには、商品コードを入力するための商品コード入力用フォーム１１２ｈ、棚特定記号を入力するための棚特定記号入力用フォーム１１２ｉ、棚段番号を入力するための棚段番号入力用フォーム１１２ｋ、及び、棚列番号を入力するための棚列番号入力用フォーム１１２ｌが含まれている。各入力用フォーム１１２ｈ〜１１２ｌの右端領域には、プルダウン形式で選択項目を表示するためのプルダウンボタン１１２ｑが設けられている。さらに、液晶ディスプレイ１１２ｂには、陳列限界個数を表示するための陳列限界個数表示枠１１２ｍと、ＰＤＡ端末１１２による操作の終了を宣言するための終了ボタン１１２ｎと、サーバ１１７に向けた商品コード及び空間コードの送信出力操作を行うための送信ボタン１１２ｏと、陳列限界個数表示枠１１２ｍに表示された陳列限界個数の確定を宣言するための確定ボタン１１２ｐとが含まれている。このようなＰＤＡ端末１１２を用いて、店員１０６は、タッチパネル１１２ｃやキーボード１１２ｄから入力操作を行って入力用フォーム１１２ｈ〜１１２ｌに商品コード及び空間コード（棚特定記号、棚段番号、棚列番号）を表示させ、送信ボタン１１２ｏを指定する操作を行うことで、サーバ１１７に対し商品コード及び空間コードの入力を行うことができる。このように、タッチパネル１１２ｃ及びキーボード１１２ｄは入力部としての役割を果たし、液晶ディスプレイ１１２ｂは表示部としての機能を果たす。
【００２８】
図６に基づく説明に戻る。サーバ１１７のＣＰＵ１３１は、商品コード及び空間コードの両方の入力を判定した場合（ステップＳ１０１のＹ）、商品マスタ１４３及び陳列棚マスタ１４４にアクセスして、入力された商品コードに対応する商品１０３のサイズ情報１４３ｄ及び陳列方法情報１４３ｅと、入力された空間コード（棚特定記号、棚段番号、棚列番号）に対応する陳列空間１２５のサイズ情報１４４ｂとを取得しＲＡＭ１３３に記憶する（ステップＳ１０２）。
【００２９】
続く処理として、ＣＰＵ１３１は、ステップＳ１０２で取得したデータを基に、陳列空間１２５に商品１０３を陳列した場合の方向別の陳列個数を算出する（ステップＳ１０３）。より詳細には、ＣＰＵ１３１は、ステップＳ１０３において、空間幅長ｘを商品幅長ｗで除してその整数部分を幅方向個数Ｘとして算出する。また、ＣＰＵ１３１は、ステップＳ１０３において、空間奥行長ｙを商品奥行長ｄで除してその整数部分を奥行方向個数Ｙとして算出する。また、ＣＰＵ１３１は、ステップＳ１０３において、空間高さｚを商品高さｈで除してその整数部分を高さ方向個数Ｚとして算出する。
【００３０】
続く処理として、ＣＰＵ１３１は、ステップＳ１０２で取得した陳列方法情報１４３ｅのうち積み重ねフラグ１４３ｋが「１」であるか否かを判定する（ステップＳ１０４）。すなわち、ステップＳ１０４では、商品１０３が積み重ねて陳列可能なものであるかどうかを判定している。この判定処理で、積み重ねフラグ１４３ｋが「１」であって商品１０３が積み重ねて陳列可能なものであると判定した場合（ステップＳ１０４のＹ）、ＣＰＵ１３１は、ステップＳ１０３で算出した幅方向個数Ｘと奥行方向個数Ｙと高さ方向個数Ｚとを乗じて陳列限界個数を算出する（ステップＳ１０５）。これに対し、積み重ねフラグ１４３ｋが「１」ではなく商品１０３が積み重ねて陳列不可能なものであると判定した場合（ステップＳ１０４のＮ）、ＣＰＵ１３１は、ステップＳ１０３で算出した幅方向個数Ｘと奥行方向個数Ｙとを乗じて陳列限界個数を算出する（ステップＳ１０６）。
【００３１】
ステップＳ１０５もしくはステップＳ１０６に続く処理として、ＣＰＵ１３１は、陳列方法情報１４３ｅに基づいて想定される全ての陳列方法について陳列限界個数を算出したか否かを判定する（ステップＳ１０７）。すなわち、ＣＰＵ１３１は、陳列方法情報１４３ｅに含まれる陳列方向フラグ１４３ｉが「１」である場合には商品幅長ｗの値と商品奥行長ｄの値とを入れ替える処理（ステップＳ１０８）、及び、陳列方法情報１４３ｅに含まれる転置フラグ１４３ｊが「１」である場合には商品高さｈの値と商品幅長ｗの値とを入れ替える処理（ステップＳ１０９）を適宜行って処理を再びステップＳ１０３に戻し、再び幅方向個数Ｘと奥行方向個数Ｙと高さ方向個数Ｚとを算出して陳列限界個数を算出する処理を繰り返す。ステップＳ１０３〜ステップＳ１０７〜ステップＳ１０８及びステップＳ１０９を行うことにより、陳列方向フラグ１４３ｉ及び転置フラグ１４３ｊの値に応じて［幅方向個数Ｘを除する値，奥行方向個数Ｙを除する値，高さ方向個数Ｚを除する値］の組合せが表１のように決定される。
【００３２】
【表１】
2010146445.tif 000003
【００３３】
ＣＰＵ１３１は、ステップＳ１０７において、表１に示す全ての組み合わせについて陳列限界個数を算出したと判定した場合（ステップＳ１０７のＹ）、これまでに算出した陳列限界個数のうち最大のものを採用し（ステップＳ１１０）、その採用した陳列限界個数を表示部に表示し（ステップＳ１１１）、一連の処理を終了する。本実施の形態では、ＣＰＵ１３１はステップＳ１１１の処理として、信号出力部である無線アクセスポイント１１９を制御して、ＰＤＡ端末１１２に対し採用した陳列限界個数の情報を無線送信出力させる処理を実行する。ここで、別の形態として、陳列限界個数の情報とともに、陳列限界個数が最大となるような商品１０３の陳列方向に関する情報（上記［幅方向個数Ｘを除する値，奥行方向個数Ｙを除する値，高さ方向個数Ｚを除する値］の組合せ）も無線送信出力させるようにしてもよい。また、別の形態として、ＣＰＵ１３１はステップＳ１１１として、サーバ１１７のディスプレイ１３８に表示する処理を行うようにしても良い。
【００３４】
図８は、陳列限界個数確定処理の流れを示すフローチャートである。ＰＤＡ端末１１２の制御回路（図示せず）は、機器の起動中、液晶ディスプレイ１１２ｂに入力用画面１１２ａを表示して、以下に示すステップＳ３０１〜ステップＳ３０８の処理をループする。
【００３５】
すなわち、ＰＤＡ端末１１２の制御回路は、送信ボタン１１２ｏが指定されることを待機している（ステップＳ３０１）。送信ボタン１１２ｏが指定されたと判定した場合（ステップＳ３０１のＹ）、ＰＤＡ端末１１２の制御回路は、前述したように、商品コード及び空間コードをサーバ１１７に向けて送信出力する（ステップＳ３０２）。
【００３６】
続いて、ＰＤＡ端末１１２の制御回路は、サーバ１１７で行われる陳列限界個数算定処理（図６参照）によって無線送信出力された陳列限界個数を受信したことを判定した場合にのみ（ステップＳ３０３のＹ）、入力用画面１１２ａの陳列限界個数表示枠１１２ｍに受信した陳列限界個数を表示する。ここで、サーバ１１７の制御回路は、陳列限界個数とともに商品１０３の陳列方向を受信した場合には、陳列限界個数と共にこの陳列方向についての表示も行う。
【００３７】
続いて、ＰＤＡ端末１１２の制御回路は、タッチパネル１１２ｃやキーボード１１２ｄからの入力操作によって陳列限界個数表示枠１１２ｍに表示された陳列限界個数に対する修正操作を判定した場合（ステップＳ３０５のＹ）、陳列限界個数表示枠１１２ｍ内の陳列限界個数の値を修正操作に基づく値に修正変更する。これは、陳列限界個数算定処理（図６）で算出される陳列限界個数は、商品マスタ１４３に格納された商品１０３のサイズ情報１４３ｄ、及び、陳列棚マスタ１４４に格納された陳列空間１２５のサイズ情報１４４ｂに基づく上では最大の値であり、実際には、商品１０３や陳列棚１０９のサイズが若干異なっていたり陳列空間１２５が予期しない広がりや狭まりがあったりして陳列空間１２５に算出された陳列限界個数とは異なる個数の商品１０３が陳列できる場合があるためである。そこで、ステップＳ３０５〜ステップＳ３０６の処理によって、店員１０６が陳列作業を行って実際に陳列できた商品１０３の個数を反映できるようになっている。
【００３８】
続いて、ＰＤＡ端末１１２の制御回路は、タッチパネル１１２ｃやキーボード１１２ｄからの入力操作によって確定ボタン１１２ｐが指定されたと判定した場合にのみ（ステップＳ３０７）、陳列限界個数表示枠１１２ｍ内に入力された陳列限界個数を、商品コード及び空間コードとともにサーバ１１７に無線送信出力する（ステップＳ３０８）。サーバ１１７のＣＰＵ１３１は、機器の起動中、ハードディスク１３６に格納されたプログラム１４０の記述に従って、ＰＤＡ端末１１２から送信される確定された陳列限界個数等の情報の受信を待機しており（ステップＳ２０１）、受信した場合（ステップＳ２０１のＹ）、陳列限界個数テーブル１４５に、受信した商品コード、空間コード及び確定された陳列限界個数の情報を対応付けて更新記憶する。
【００３９】
以上に述べたような本実施の形態の陳列限界個数算出システム１０１が導入されたスーパーマーケット１０２では、以下のように簡易に陳列棚の陳列空間に陳列可能な商品の最大の個数（陳列限界個数）が算出され、陳列作業の効率化が図られる。
【００４０】
まず、店員１０６は、サーバ１１７に備わるキーボード１３７やディスプレイ１３８を介して各商品１０３のサイズ情報（商品幅長、商品奥行長、商品高さ）や各陳列棚１０９の陳列空間１２５のサイズ情報（空間幅長、空間奥行長、空間高さ）を入力し、商品マスタ１４３や陳列棚マスタ１４４に記憶する。このとき、店員１０６は、各商品１０３について、正面以外の方向に向けて陳列可能であるか否か、横倒しにして陳列可能であるか否か、積み重ねて陳列可能であるか否かについても入力を行う。これらの情報は、陳列方法情報１４３ｅ（陳列方向フラグ１４３ｉ、転置フラグ１４３ｊ、積み重ねフラグ１４３ｋ）と言う形で商品マスタ１４３に反映される。商品１０３のサイズ情報や陳列方法情報は、例えば、店員１０６が商品１０３の外形を直接測定した結果を用いたり、商品１０３のメーカーが提示する値を用いたりすることができる。また、陳列空間１２５のサイズ情報には、店員１０６が陳列空間１２５の寸法を直接測定した結果を用いたり、陳列棚１０９のメーカーが提示する値を用いたりすることができる。
【００４１】
そして、店員は、ＰＤＡ端末１１２を用い、このＰＤＡ端末１１２のタッチパネル１１２ｃやキーボード１１２ｄから商品コード及び空間コード（棚特定記号、棚段番号、棚列番号）を入力しサーバ１１７に送信出力をする操作を行う。この操作により、ＰＤＡ端末１１２の液晶ディスプレイ１１２ｂの陳列限界個数表示枠１１２ｍには、商品コードで特定される商品１０３のサイズと空間コードで特定される陳列空間１２５のサイズとに基づいてサーバ１１７で算出された陳列限界個数の値が表示される。そこで、店員１０６がＰＤＡ端末１１２の液晶ディスプレイ１１２ｂに表示された確定ボタン１１２ｐを指定することで、陳列限界個数テーブル１４５には、商品コード及び空間コードに対応付けて陳列限界個数が記憶されることになる。
【００４２】
ここで、特許文献１に記載された技術をはじめとする陳列棚１０９に陳列されている商品１０３の個数を集計するシステムがスーパーマーケット１０２に導入されている場合、店員１０６は商品１０３の補充作業として、陳列棚１０９に商品１０３をいくつ持ち寄るべきかが問題となる。この場合にも、本実施の形態の陳列限界個数算出システム１０１によれば、陳列棚１０９の陳列空間１２５に陳列可能な商品１０３の最大の個数（陳列限界個数）がサーバ１１７で把握されており、この陳列限界個数から前記のシステムで把握された陳列棚１０９での商品１０３の残数を差し引いた個数分の商品１０３を持ち寄ることで、店員１０６は陳列棚１０９に過不足なく商品１０３を陳列することができる。このときに商品１０３の形状や陳列棚１０９の陳列空間１２５の形状によって、算出された陳列限界個数と、陳列棚１０９に陳列可能な商品１０３の実際の最大の個数とに差異があることを店員１０６が認識した場合、店員１０６は、ＰＤＡ端末１１２を操作して、陳列限界個数表示枠１１２ｍに表示された陳列限界個数の値を修正しサーバ１１７に送信する操作を行えばよい。このようにすることで、陳列棚１０９において再び商品１０３の補充作業が発生した場合には、確実に陳列棚１０９に満杯に商品１０３を陳列でき、店員１０６の補充作業の頻度を減らし、補充作業に関して余った商品１０３を倉庫に戻すという余計な作業を減少することができるようになる。
【図面の簡単な説明】
【００４３】
【図１】陳列限界個数算出システムの全体を示す模式図である。
【図２】陳列棚を模式的に示す斜視図である。
【図３】商品を模式的に示す斜視図である。
【図４】陳列限界個数算出システムの電気的構成を示すブロック図である。
【図５】データベースの構造を示す模式図である。
【図６】陳列限界個数算出処理の流れを示すフローチャートである。
【図７】ＰＤＡ端末の入力用画面に表示される入力画面の一例を示す模式図である。
【図８】陳列限界個数確定処理の流れを示すフローチャートである。
【符号の説明】
【００４４】
１０１…陳列限界個数算出システム、１１２ｂ…液晶ディスプレイ（出力部）、１１２ｃ…タッチパネル（入力部）、１１２ｄ…キーボード（入力部）、１１７…サーバ（コンピュータ）、１２５…陳列空間、１３４…情報処理部、１３７…キーボード（入力部）、１３８…ディスプレイ（出力部）、１４１…陳列限界個数算出プログラム、１４３…商品マスタ（商品サイズ記憶部、陳列方向情報記憶部、転置陳列情報記憶部、積み重ね情報記憶部）、１４４…陳列棚マスタ（空間サイズ記憶部）、１４５…陳列限界個数テーブル（記憶部）、ｗ…商品幅長、ｄ…商品奥行長、ｈ…商品高さ、ｘ…空間幅長、ｙ…空間奥行長、ｚ…空間高さ、Ｘ…幅方向個数、Ｙ…奥行方向個数、Ｚ…高さ方向個数
【図１】
2010146445.tif 000004
【図２】
2010146445.tif 000005
【図３】
2010146445.tif 000006
【図４】
2010146445.tif 000007
【図５】
2010146445.tif 000008
【図６】
2010146445.tif 000009
【図７】
2010146445.tif 000010
【図８】
2010146445.tif 000011